Podtech/llm-jp-corpus-v4-ja_patent huggingface dataset:
【手続補正書】
【提出日】平成27年1月13日(2015.1.13)
【手続補正１】
【補正対象書類名】明細書
【補正対象項目名】０００２
【補正方法】変更
【補正の内容】
【０００２】
病理学的状態で、これらのペプチドの形成が上昇した速度で起こるか、または、脳からのその除去が妨害されると、脳アミロイドペプチド濃度が上昇し、オリゴマー、原線維および最終的にプラークの形成が起こる（非特許文献２）。脳内のアミロイドペプチドおよびプラークの沈着は、アルツハイマー病の病因の中で最初に測定可能な事象であり、シナプス、シナプス結合および神経細胞の喪失を誘発することが示されている（非特許文献３）。広範な神経細胞喪失によって引き起こされる脳萎縮に続き、認識、記憶、適応および日常生活を行う能力の喪失、すなわち、臨床的に顕性の認知症が起こる（非特許文献４）。
【手続補正２】
【補正対象書類名】明細書
【補正対象項目名】０００３
【補正方法】変更
【補正の内容】
【０００３】
ＢＡＣＥ−１は、Ａｓｐ２またはメマプシン２としても知られており、神経細胞内で高発現される膜貫通アスパラギン酸プロテアーゼである。ＢＡＣＥ−１は、その基質であるＡＰＰと、ゴルジ体およびエンドサイトーシスコンパートメント(endocytic compartment)内に共局在している（非特許文献５）。マウスでのノックアウト試験により、該動物が健康で繁殖能力があり、アミロイドペプチド形成が起こらないことが証明された（非特許文献６）。ＡＰＰ過剰発現マウスにおけるＢＡＣＥ−１の遺伝子欠失により、プラーク形成が起こらず、認識欠損が回復することが証明された（非特許文献７）。ＢＡＣＥ−１レベルは、散発型アルツハイマー病患者の脳内で上昇している（非特許文献８）。
【手続補正３】
【補正対象書類名】明細書
【補正対象項目名】００３３
【補正方法】変更
【補正の内容】
【００３３】
例えば、本発明の薬剤は、アスパラギン酸プロテアーゼ阻害剤であり、かかる酵素のプロセッシングを伴う症状、疾患または障害の処置に用いられ得る。具体的には、本発明の薬剤は、β−シクレターゼを阻害し、そうすることで、β−アミロイドの産生および、それに続く、オリゴマーおよび原線維への凝集を阻害する。
【手続補正４】
【補正対象書類名】明細書
【補正対象項目名】００４５
【補正方法】変更
【補正の内容】
【００４５】
本明細書で用いる用語、任意の疾患または障害を「処置する」、「処置すること」または「処置」は、一つの態様において、疾患または障害を寛解させる(すなわち疾患またはその少なくとも１つの臨床症状の進行を遅らせる、停止させるまたは減少させる)ことをさす。他の態様において、「処置する」、「処置すること」または「処置」は、患者に認識されなくてよいものを含む、身体的パラメーターの少なくとも一つを緩和するまたは寛解させることをさす。また、他の態様において、「処置する」、「処置すること」または「処置」は、疾患または障害を、身体的に(例えば認識可能な徴候の安定化)、生理学的に(例えば身体的パラメーターの安定化)またはその両方で調節することをさす。
【手続補正５】
【補正対象書類名】明細書
【補正対象項目名】００５１
【補正方法】変更
【補正の内容】
【００５１】
上述した適応症において、適切な投与量は、例えば、薬学的有効成分として用いる化合物、宿主、投与方法、症状、疾患または障害の性質および重症度、または所望する効果によって変化する。しかし、一般的に、動物においては、約０.１〜約１００mg／kg体重、好ましくは約１〜約５０mg／kg体重の１日投与量で、満足のいく結果が得られることを意図する。大型哺乳類、例えばヒトにおいては、指示される１日投与量は、例えば１日４回までの分割投与または持続放出形態で好都合なように投与される、約０.５〜約２０００mg、好ましくは約２〜約２００mgの範囲の本発明の薬剤である。
【手続補正６】
【補正対象書類名】明細書
【補正対象項目名】００６６
【補正方法】変更
【補正の内容】
【００６６】
上記に従って、さらなる局面において、本発明は、例えば、β−アミロイド産生または凝集が役割を果たす神経または血管の症状、疾患または障害を処置もしくは予防する、または、腫瘍細胞に関連した転移プロセスを抑制する医薬として使用するための、本発明の薬剤に関する。さらなる態様において、本発明は、ＢＡＣＥ−１、ＢＡＣＥ−２またはカテプシンＤ活性を介する疾患または障害の処置または予防に使用するための本発明の薬剤に関する。態様の一において、本発明は、アルツハイマー病または軽度認知機能障害の処置または予防に使用するための本発明の薬剤に関する。
【手続補正７】
【補正対象書類名】明細書
【補正対象項目名】００７５
【補正方法】変更
【補正の内容】
【００７５】
本発明の併用療法において、本発明の薬剤および他の治療薬は、同一または異なる製造者によって製造および／または製剤化されてもよい。さらに、本発明の化合物および他の治療薬は、一緒に、(ｉ)組み合わせ製品が医師に手渡される前に(例えば本発明の化合物と他の治療薬とを含むキットの場合)；(ｉｉ)投与直前に医師自身によって(または医師の指導の下で)；(ｉｉｉ)患者自身において、例えば本発明の化合物および他の治療薬の連続投与の間に、併用療法に用いられ得る。したがって、本発明は、ＢＡＣＥ−１、ＢＡＣＥ−２またはカテプシンＤ活性を介する疾患または症状、特にアルツハイマー病もしくは軽度認知機能障害の処置に使用するための本発明の薬剤であって、医薬が他の治療薬と共に投与するために製造される、薬剤を提供する。本発明はまた、ＢＡＣＥ−１、ＢＡＣＥ−２またはカテプシンＤ活性を介する疾患または症状、特にアルツハイマー病もしくは軽度認知機能障害を処置するための、本発明の薬剤と共に投与される他の治療薬の使用を提供する。
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
ＤＧＬＡを治療有効量で動物に投与するステップを含む、動物において変形性関節症を予防及び治療する方法であって、
前記動物はヒトを含まない、方法。
【請求項２】
ＤＧＬＡを約０．０１〜約１００ｍｇ／ｋｇ／日の量で投与する、請求項１に記載の方法。
【請求項３】
ＤＧＬＡを定期的に前記動物に投与する、請求項１又は２に記載の方法。
【請求項４】
前記動物が変形性関節症に罹患している、請求項１〜３のいずれか一項に記載の方法。
【請求項５】
ＤＧＬＡを栄養補助食品又は食品組成物として投与する、請求項１〜４のいずれか一項に記載の方法。
【請求項６】
前記組成物が食品組成物であり、ＤＧＬＡが前記食品組成物の約０．００１〜約４０％を占める、請求項５に記載の方法。
【請求項７】
前記組成物又は栄養補助食品が、１種又は複数種のプロバイオティクス、不活化プロバイオティクス、前記プロバイオティクスと同様又は同一の健康利益を促進する、不活化プロバイオティクスの成分、及び１種又は複数種のプレバイオティクスをさらに含む、請求項５に記載の方法。
【請求項８】
前記動物が伴侶動物である、請求項１〜７のいずれか一項に記載の方法。
【請求項９】
前記伴侶動物がイヌ又はネコである、請求項８に記載の方法。
【請求項１０】
前記動物が加齢動物である、請求項１〜９のいずれか一項に記載の方法。
【請求項１１】
治療有効量のＤＧＬＡを動物に投与するステップを含む、動物において関節軟骨の分解を予防及び治療する方法であって、
前記動物はヒトを含まない、方法。
【請求項１２】
ＤＧＬＡを約０．０１〜約１００ｍｇ／ｋｇ／日の量で投与する、請求項１１に記載の方法。
【請求項１３】
ＤＧＬＡを定期的に前記動物に投与する、請求項１１又は１２に記載の方法。
【請求項１４】
前記動物が前記関節軟骨の分解に罹患している、請求項１１〜１３のいずれか一項に記載の方法。
【請求項１５】
ＤＧＬＡを栄養補助食品又は食品組成物として投与する、請求項１１〜１４のいずれか一項に記載の方法。
【請求項１６】
前記組成物が食品組成物であり、ＤＧＬＡが前記食品組成物の約０．００１〜約４０％を占める、請求項１５に記載の方法。
【請求項１７】
前記組成物又は栄養補助食品が、１種又は複数種のプロバイオティクス、不活化プロバイオティクス、前記プロバイオティクスと同様又は同一の健康利益を促進する、不活化プロバイオティクスの成分、及び１種又は複数種のプレバイオティクスをさらに含む、請求項１５に記載の方法。
【請求項１８】
前記動物が伴侶動物である、請求項１１〜１７のいずれか一項に記載の方法。
【請求項１９】
前記伴侶動物がイヌ又はネコである、請求項１８に記載の方法。
【請求項２０】
前記動物が加齢動物である、請求項１１〜１９のいずれか一項に記載の方法。
【請求項２１】
治療有効量のＤＧＬＡを動物に投与するステップを含む、動物において関節の健康を促進及び維持する方法であって、
前記動物はヒトを含まない、方法。
【請求項２２】
ＤＧＬＡを約０．０１〜約１００ｍｇ／ｋｇ／日の量で投与する、請求項２１に記載の方法。
【請求項２３】
ＤＧＬＡを栄養補助食品又は食品組成物として投与する、請求項２１又は２２に記載の方法。
【請求項２４】
前記組成物が食品組成物であり、ＤＧＬＡが前記食品組成物の約０．００１〜約４０％を占める、請求項２３に記載の方法。
【請求項２５】
前記組成物又は栄養補助食品が、１種又は複数種のプロバイオティクス、不活化プロバイオティクス、前記プロバイオティクスと同様又は同一の健康利益を促進する、不活化プロバイオティクスの成分、及び１種又は複数種のプレバイオティクスをさらに含む、請求項２３に記載の方法。
【請求項２６】
前記動物が伴侶動物である、請求項２１〜２５のいずれか一項に記載の方法。
【請求項２７】
前記伴侶動物がイヌ又はネコである、請求項２６に記載の方法。
【請求項２８】
前記動物が加齢動物である、請求項２１〜２７のいずれか一項に記載の方法。
【請求項２９】
治療有効量のＤＧＬＡを動物に投与するステップを含む、動物において生活の質を向上させる方法であって、
前記動物はヒトを含まない、方法。
【請求項３０】
変形性関節症の予防及び治療、関節軟骨の分解の予防及び治療、並びに関節の健康の促進及び維持のうちの１つ又は複数のための、治療有効量のＤＧＬＡを含む組成物。
【請求項３１】
ＤＧＬＡと、１種又は複数種の薬学的又は栄養補助的に許容される担体、希釈剤又は賦形剤とを含む医薬組成物又は栄養補助組成物。
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
体組織から再生細胞を回収する方法であって、容器中で上記体組織をタンパク分解酵素と一緒に水性媒体に入れ、遠心分離機中で、上記の回収が十分にできる所定時間の間、遠心分離機の軸線の周りで回転加速および減速を複数のラウンドで上記容器に反復して加えて上記体組織とタンパク分解酵素を攪拌することを特徴とする方法。
【請求項２】
体組織が脂肪組織であり、タンパク分解酵素がコラーゲナーゼ（collagenase）および中性プロテアーゼの中の少なくとも一つである請求項１に記載の方法。
【請求項３】
体組織が脂肪吸引物である請求項２に記載の方法。
【請求項４】
遠心分離機の軸線上でローターの回転シャフトに回転力を加え且つ上記容器の内容物に互いに反対方向の加速力および減速力が加わるようなローター上の位置に上記容器を固定して上記容器の内容物に複数のラウンドで加速と減速を反復的に加える請求項１に記載の方法。
【請求項５】
容器を固定する上記のローター上の位置が下記の(i)または(ii)のいずれか一つの位置に対して上向きの鋭角を成す請求項４に記載の方法：
(i)遠心分離機の軸線が垂直方向を向く位置、または
(ii)上記容器に複数のラウンドで加速と減速を反復的に加える間にローターが固定される点で遠心分離機の軸線が通る水平位置。
【請求項６】
上記水性媒体に入れた体組織とタンパク分解酵素の容積が上記容器の完全充填容積より少なく、さらに、容器の一端がその容器の他端よりもローターに接近し且つ容器の他端が上記容器の一端より高くなるように、水平面とローターの垂直軸線との間の上向き傾斜位置で上記容器をローターに着脱自在に固定し、加速および減速のラウンドを１分間当たり上記容器が1回転以上する速度で回転して上記容器の内容物の混合を容易にする請求項４に記載の方法。
【請求項７】
約５０ｇ〜約４０００ｇの範囲の遠心力を上記容器の内容物に加えるのに十分な回転力を加える請求項４に記載の方法。
【請求項８】
複数のラウンドで加速と減速を反復的に加える間に上記容器を２６〜４２℃の間の制御温度に維持する請求項４に記載の方法。
【請求項９】
容器を加速および減速するために回転シャフトの周りで容器を１分間当たり少なくとも一回のスタート−ストップの反復サイクルを行ってロータに回転力を加える請求項４に記載の方法。
【請求項１０】
複数の容器を使用し、この複数の容器をローターの周りに互いに所定角度だけ離して配置し、各容器の一端をローターに接近させ且つその他端を下側に配置して、ローター上で加速および減速の回転を反復する請求項４に記載の方法。
【請求項１１】
体組織から再生細胞を分離させる方法であって、体組織を水性媒体中のタンパク分解酵素と一緒に容器に入れ、上記容器を遠心分離機の回転シャフトに対して一定位置に固定し、且つ、上記回転シャフトから上記容器を取り外さずに、あるいは、反復ラウンド中に上記容器の内容物が混濁させない状態で、加速および減速を複数のラウンドで上記回転シャフトの周りを回転させて、上記容器の内容物に互いに逆向きの遠心力と重力とを複数のラウンドで加えることを特徴とする方法。
【請求項１２】
容器をローター上に固定する上記の位置が、遠心分離機の軸線上でローターに容器を着脱自在に取り付けるカップリング装置で行い、このカップリング装置が下記の(i)または(ii)のいずれかの状態で上記容器を保持できる請求項１１に記載の方法：
(i)ローターに対して一定の角度位置、または
(ii)上記容器に加わる回転力に応じて変化する上記回転シャフトに対する一定の角度位置。
【請求項１３】
体組織サンプルから再生細胞を単離するための組織自動処理装置であって、少なくとも一つの回転シャフトと、体組織サンプルとタンパク分解酵素の各容器を上記回転シャフトに着脱自在に固定するための少なくとも一つのロック可能な機構と、スタート−ストップの反復ラウンドで回転シャフトをプログラム制御下に回転させて、加速および減速の複数のラウンドを各容器に生じさせる回転力を上記回転シャフトに固定された各容器に加えるモータとを有し、体組織サンプルから再生細胞を分離ができるように上記容器の内容物の攪拌を促進するのに十分な時間と温度で、上記容器の内容物に互いに逆向きの複数のラウンドで遠心力と重力とが加わるように上記のロック可能な機構によって各容器が保持され、各容器の回転が制御されることを特徴とする組織自動処理装置。
【請求項１４】
上記回転シャフト上にローターをさらに有し、上記のロック可能な機構はこのローター上に配置され、各ロック可能な機構は互いに隣接するロック可能な機構が離れるように上記回転シャフトの周りに所定角度で配置され、各ロック可能な機構は(i)固定角度または(ii)ローターにロックした時に上記容器に加わる回転力に応じて変化する角度のいずれかの角度で各容器を着脱自在に保持し、これらの角度は鋭角で且つローターの他端よりローターにより接近して取り付けられた容器の一端が上方向に突き出る請求項１４に記載の組織自動処理装置。
【請求項１５】
ローターに取付けた各容器に加速および減速が反復して生じるように、１分間当たり少なくとも1回転の速度で上記回転シャフトを回転するように上記モータがプログラムされており、ローターに取り付けられた各容器と容器の内容物が反復ラウンド中およびラウンド間に混濁しない、請求項１４に記載の組織自動処理装置。
【請求項１６】
体組織から再生細胞を回収するための装置であって、体組織サンプルとタンパク分解酵素とを収容した少なくとも一つの容器を取付けでき且つ各容器の一端がローターに接近し且つその他端が下側に配置するように各容器をローターのシャフトに一定角度で保持する遠心分離機を有し、この遠心分離機は、組織サンプルから再生細胞を分離するのに十分な所定の時間の間、上記容器の内容物を互いに逆向きの遠心力と重力で攪拌するように上記ローターに複数の反復ラウンドで加速および減速を加えるようにプログラミングされていることを特徴とする装置。
【請求項１７】
上記ローターに複数の反復ラウンドで加速および減速を加える間に、上記容器の内容物の温度、従って、上記ローターに保持された各容器の温度を２６℃〜４２℃の温度に維持するヒーターをさらに有する請求項１６に記載の装置。
【請求項１８】
上記容器に１分間当たり少なくとも1回の加速および減速のラウンドが行われるように遠心分離機がプログラムされている請求項１６に記載の装置。
【請求項１９】
前後の反復ラウンドを行う間に、上記回転シャフトから上記容器を取り外さずに、あるいは、反復ラウンド中に上記容器の内容物が混濁させない状態で、上記の所定の時間の間に上記容器に１分間当たり少なくとも1回の加速および減速のラウンドが行われるように遠心分離機がプログラムされている請求項１６に記載の装置。
【手続補正書】
【提出日】平成27年1月8日(2015.1.8)
【手続補正１】
【補正対象書類名】特許請求の範囲
【補正対象項目名】全文
【補正方法】変更
【補正の内容】
【特許請求の範囲】
【請求項１】
溶液中に、
（ａ）レムテポルフィン又はベルテポルフィンから選択される緑色ポルフィリンである光増感剤を含む光増感成分と、
（ｂ）賦形剤成分と
を含み、前記溶液中の前記光増感剤の濃度が過飽和している、皮脂腺に光増感剤を局在化させるための医薬組成物。
【請求項２】
光増感剤が、０．０１％〜１．０％の範囲内の濃度で存在する、請求項１に記載の医薬組成物。
【請求項３】
光増感剤が、０．０２５％〜０．５％の範囲内の濃度で存在する、請求項２に記載の医薬組成物。
【請求項４】
光増感剤が、０．１％〜０．２％の範囲内の濃度で存在する、請求項３に記載の医薬組成物。
【請求項５】
賦形剤成分が、１％〜２０％の範囲内の濃度でベンジルアルコールを含む、請求項１〜４のいずれかに記載の医薬組成物。
【請求項６】
光増感剤が、０．３％の濃度で存在する、請求項３に記載の医薬組成物。
【請求項７】
賦形剤成分が、５％〜５０％の範囲内の濃度でジエチレングリコールモノエチルエーテル（ＤＧＭＥ）を含む、請求項１〜６のいずれかに記載の医薬組成物。
【請求項８】
ＤＧＭＥが、１５％〜３５％の範囲内の濃度で存在する、請求項７に記載の医薬組成物。
【請求項９】
賦形剤成分が、３０〜８５％、又は４０〜７０％の範囲内の濃度でイソプロピルアルコールを含む、請求項１〜８のいずれかに記載の医薬組成物。
【請求項１０】
（ａ）緑色ポルフィリンである光増感剤を含む光増感成分と、
これに付随して、しかしこれと別個に
（ｂ）賦形剤成分と
を含み、前記成分（ａ）と（ｂ）とを混合すると前記光増感剤の過飽和溶液を形成するのに十分な量で、前記光増感剤が存在する、
皮脂腺に光増感剤を局在化させるための局所製剤。
【請求項１１】
ざ瘡の治療を必要とする対象のざ瘡を治療する方法に使用するための局所製剤であって、前記方法が、
（ａ）ざ瘡病変を有する対象の皮膚の患部に治療有効量の前記局所製剤を適用するステップと、
（ｂ）光増感剤の少なくとも一部を前記患部の皮脂腺中に局在化させるために十分な時間をおくステップと、
（ｃ）前記光増感剤を活性化することができる波長の光エネルギーに前記対象の前記皮膚を曝露するステップとを含む、
請求項１０に記載の局所製剤。
【請求項１２】
（ａ）溶媒中に溶解した光増感剤を含む光増感成分を準備するステップと、
（ｂ）前記光増感成分と混和できる賦形剤成分を準備するステップと、
（ｃ）ある量の光増感成分をある量の前記賦形剤成分と混合して、混合溶液を準備するステップと、
を含む方法であって、前記混合溶液が前記光増感剤で過飽和しており、前記光増感剤が緑色ポルフィリンである、前記方法。
【請求項１３】
光増感成分がさらにベンジルアルコールを含み、緑色ポルフィリンが、レムテポルフィン又はベルテポルフィンから選択される、請求項１２に記載の方法。
【請求項１４】
油性肌の患部を有する対象の皮膚の皮脂腺の皮脂排出速度を低減する方法に使用するための医薬組成物であって、前記方法が、治療有効量の前記医薬組成物を患部に適用するステップと、前記医薬組成物の少なくとも一部を皮脂腺中に局在化させるために十分な時間をおくステップと、光増感剤を活性化することができる波長の光エネルギーに対象の皮膚を曝露するステップとを含む、請求項１〜９のいずれかに記載の医薬組成物。
【手続補正書】
【提出日】平成27年2月3日(2015.2.3)
【手続補正１】
【補正対象書類名】明細書
【補正対象項目名】００９６
【補正方法】変更
【補正の内容】
【００９６】
較正モジュール９０は、多様な値に設定できる較正データを含む。較正データを用いてＶＧＡ３１の利得を選択することができ、それにより電力増幅段３２に与えられる入力電力を制御する。較正モジュール９０を用いて、以下で説明するように、包絡線トラッカーの包絡線振幅不整合を修正する。
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
−乳原料を提供する段階、
−精密濾過保持液としてのカゼイン濃縮物および精密濾過透過液としてのホエータンパク質を分離するために乳原料を精密濾過に供する段階であって、その後
−酸性化カゼイン濃縮物を生産するためにカゼイン濃縮物が予備酸性化され、その後
−完全濃縮プレチーズを生産するために酸性化カゼイン濃縮物が濃縮される、段階、
−完全濃縮プレチーズをチーズ製品へ加工する段階：
を含む、チーズを生産するための方法。
【請求項２】
乳原料、カゼイン濃縮物および／または酸性化カゼイン濃縮物が、５０℃から１５０℃の範囲の温度で熱処理に供される、請求項１に記載の方法。
【請求項３】
精密濾過が一以上の透析濾過段階によって実施される、請求項１または２に記載の方法。
【請求項４】
精密濾過が二つの透析濾過段階を含み、ここで、乳の限外濾過から取得されたＵＦ透過液、乳の精密濾過に由来する精密濾過透過液の限外濾過から取得されたＵＦ透過液、または水が、第一の段階におけるダイアウォーターとして用いられ、かつ、乳糖標準化カゼイン濃縮物を提供するために、水、ブライン、乳の限外濾過から取得されたＵＦ透過液、乳の精密濾過に由来する精密濾過透過液の限外濾過から取得されたＵＦ透過液、または乳の限外濾過に由来する限外濾過透過液のナノ濾過から取得されたＮＦ透過液が、第二の段階におけるダイアウォーターとして用いられる、請求項３に記載の方法。
【請求項５】
乳の精密濾過に由来する精密濾過透過液の限外濾過から取得されたＵＦ透過液が第一の段階におけるダイアウォーターとして用いられる、請求項４に記載の方法。
【請求項６】
ブラインが第二の段階におけるダイアウォーターとして用いられる、請求項４または５に記載の方法。
【請求項７】
乳糖標準化カゼイン濃縮物の無脂肪部分の水分含量（ＲＯＶ）が５０重量％から９０重量％である、請求項４〜６のいずれかに記載の方法。
【請求項８】
酸性化カゼイン濃縮物が５．０から６．１のｐＨ値を有する、請求項１〜７のいずれかに記載の方法。
【請求項９】
ｐＨ値が６．０未満である、請求項８に記載の方法。
【請求項１０】
ｐＨ値が最大で５．９である、請求項９に記載の方法。
【請求項１１】
酸性化カゼイン濃縮物の濃縮が膜濾過および／または溶媒留去により実施される、請求項１〜１０のいずれかに記載の方法。
【請求項１２】
酸性化カゼイン濃縮物の濃縮が完全濃縮プレチーズを生産するための濾過により実施される、請求項１〜１０のいずれかに記載の方法。
【請求項１３】
膜濾過が精密濾過または限外濾過である、請求項１１に記載の方法。
【請求項１４】
膜濾過が精密濾過である、請求項１３に記載の方法。
【請求項１５】
精密濾過が透析濾過によって実施される、請求項１３または１４に記載の方法。
【請求項１６】
完全濃縮プレチーズが５〜３４ｍｇカルシウム／ｇ総タンパク質の、総タンパク質に対するカルシウムの比を有する、請求項１〜１５のいずれかに記載の方法。
【請求項１７】
完全濃縮プレチーズが１８〜３４ｍｇカルシウム／ｇ総タンパク質の、総タンパク質に対するカルシウムの比を有する、請求項１６に記載の方法。
【請求項１８】
チーズ製品を生産するために、酸性化剤および／または凝固剤が完全濃縮プレチーズに添加される、請求項１〜１７のいずれかに記載の方法。
【請求項１９】
チーズ製品が、最大で１．３５の、グリコマクロペプチドに対するβ−ラクトグロブリンおよびα−ラクトアルブミンの総含量の比を有する、請求項１〜１８のいずれかに記載の方法。
【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
モバイルデバイスを用いて通信するためのシステムであって、
メッセージングサーバと、
前記メッセージングサーバから遠隔に存在する監視サーバと、
ネットワークルータと、
(i)メッセージング鍵で暗号化される電子メッセージをメッセージングサーバへ送信し、またはメッセージングサーバから受信し、(ii)前記メッセージのコピーを、前記メッセージング鍵とは異なる監視鍵で暗号化し、かつ、前記暗号化されたコピーを、前記監視サーバへ送信するように構成されるモバイルデバイスとを備え、
前記モバイルデバイスは、前記ネットワークルータを介して前記メッセージサーバと通信するように更に構成され、かつ前記ネットワークルータは、アクセス条件が満たされないと、前記モバイルデバイスと前記メッセージングサーバとの間の暗号化された電子メッセージの送信をブロックするように構成される、システム。
【請求項２】
前記アクセス条件が満たされないと、前記モバイルデバイスと前記メッセージングサーバとの間で暗号化された電子メッセージを送信することができないように構成される、請求項１に記載のシステム。
【請求項３】
前記アクセス条件は、前記モバイルデバイスのユーザが、前記モバイルデバイスが前記メッセージのコピーを前記監視サーバへ送信することに同意する場合にのみ満たされる、という類のものである、請求項１または請求項２に記載のシステム。
【請求項４】
前記アクセス条件は、前記モバイルデバイスが、暗号化されたメッセージのコピーを前記監視サーバへ送信するように構成される場合にのみ満たされる、という類のものである、請求項１乃至請求項３のいずれかに記載のシステム。
【請求項５】
前記メッセージングサーバは、メッセージング・サービス・プロバイダにより運用されるネットワーク・オペレーション・センタである、請求項１乃至請求項４のいずれかに記載のシステム。
【請求項６】
前記メッセージングサーバは、企業電子メールシステムのコンポーネントである、請求項１乃至請求項４のいずれかに記載のシステム。
【請求項７】
前記監視サーバにより受信されるメッセージの暗号化されたコピーを復号化し、かつ前記復号化されたメッセージの少なくとも一部を表示するように構成される監視手段をさらに備える、請求項１乃至請求項６のいずれかに記載のシステム。
【請求項８】
前記メッセージの前記コピーを復号するための復号鍵を格納する、またはこれにアクセスするように構成される鍵サーバをさらに備える、請求項１乃至請求項７のいずれかに記載のシステム。
【請求項９】
前記鍵サーバは、認可条件が満たされていると、前記メッセージの前記コピーを復号する、または前記復号鍵をリリースするように構成される、請求項８に記載のシステム。
【請求項１０】
鍵識別子を復号することにより、監視鍵に関連づけられる復号鍵を生成するように構成される鍵サーバをさらに備え、
前記鍵識別子は、親鍵を用いて暗号化される復号鍵である、請求項１乃至９のいずれかに記載のシステム。
【請求項１１】
前記モバイルデバイスは、前記モバイルデバイスにより前記メッセージングサーバへ送信される全ての暗号化された電子メッセージ、および／または前記デバイスにより前記メッセージングサーバから受信される全ての暗号化された電子メッセージの暗号化されたコピーを、前記監視サーバへ送信するように構成される、請求項１乃至１０のいずれかに記載のシステム。
【請求項１２】
前記モバイルデバイスは、前記暗号化されたコピーを前記監視サーバへ、前記電子メッセージが前記モバイルデバイスにより送信または受信されると略同時に送信するように構成される、請求項１乃至１１のいずれかに記載のシステム。
【請求項１３】
前記モバイルデバイスは、前記暗号化されたコピーを前記監視サーバへ、前記デバイスのユーザに不可視で送信するように構成される、請求項１乃至請求項１２のいずれかに記載のシステム。
【請求項１４】
前記モバイルデバイスは、前記モバイルデバイスが位置決めされている地理的、政治的または管轄的ロケーションを決定し、かつ前記決定されたロケーションを用いて、電子メッセージのコピーを前記監視サーバへ送信するかどうかを決定するように構成される、請求項１乃至請求項１３のいずれかに記載のシステム。
【請求項１５】
モバイルデバイスを用いて通信する方法であって、前記方法が包含するモバイルデバイスは、
メッセージング鍵で暗号化される電子メッセージをメッセージングサーバへ送信し、またはメッセージングサーバから受信し、
前記メッセージのコピーを、前記メッセージング鍵とは異なる監視鍵で暗号化し、かつ、
前記暗号化されたコピーを、前記メッセージングサーバから遠隔にある監視サーバへ送信し、
更に前記方法は、アクセス条件が満たされるか否かを決定し、アクセス条件が満たされないと、前記モバイルデバイスと前記メッセージングサーバとの間の暗号化された電子メッセージの送信をブロックする前記ネットワークルータを包含する、方法。
【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
三次元グラフィック環境におけるセレクタの呈示を容易にする動作をコンピューティング装置に実行させるためのコンピュータ・プログラムであって、前記動作は：
表示スクリーン上でのセレクタの現在位置と同じ前記表示スクリーン上での水平および垂直位置をもつ各要素に関連付けられた奥行き位置を参照する段階であって、各奥行き位置は、対応する要素が見えるよう意図されている前記表示スクリーンからの距離を示す、段階と；
前記表示スクリーンからの最大の奥行きをもつ最大奥行き位置を同定する段階であって、前記最大奥行き位置は、前記表示スクリーン上でのセレクタの現在位置と同じ前記表示スクリーン上での水平および垂直位置をもつ各要素に関連付けられた奥行き位置のうちから同定される、段階と；
前記最大奥行き位置に対応するセレクタ奥行き位置を指定する段階であって、前記セレクタ奥行き位置は、セレクタが見えるよう意図される前記表示スクリーンからの距離を示す、段階とを含む、
コンピュータ・プログラム。
【請求項２】
前記コンピューティング装置にさらに、前記最大奥行き位置に一致する前記セレクタ奥行き位置においてセレクタを呈示させる、請求項１記載のコンピュータ・プログラム。
【請求項３】
前記コンピューティング装置にさらに、前記最大奥行き位置より所定量大きな前記セレクタ奥行き位置においてセレクタを呈示させる、請求項１記載のコンピュータ・プログラム。
【請求項４】
前記コンピューティング装置にさらに、セレクタの前記現在位置を使って、セレクタが、前記表示スクリーンから突き出て見える特定の要素によって観察者に対して隠蔽される隠蔽領域内に位置されていないことを判別させる、請求項１記載のコンピュータ・プログラム。
【請求項５】
前記コンピューティング装置にさらに：
セレクタの前記現在位置を使って、セレクタが、前記表示スクリーンから突き出て見える特定の要素によって観察者に対して隠蔽される隠蔽領域内に位置されていることを判別する段階と；
前記隠蔽領域の原因となっている前記特定の要素の奥行き位置に対応する前記セレクタ奥行き位置を指定する段階とを実行させる、
請求項１記載のコンピュータ・プログラム。
【請求項６】
三次元グラフィック環境におけるセレクタの呈示を容易にする動作をコンピューティング装置に実行させるためのコンピュータ・プログラムであって、前記動作は：
三次元グラフィック環境内で隠蔽領域を判別する段階であって、前記隠蔽領域は、表示スクリーンより手前の奥行き位置に呈示される第一の要素によって隠蔽される前記表示スクリーンの領域である、段階と；
セレクタが前記隠蔽領域に位置されていることを識別する段階と；
セレクタが前記隠蔽領域に位置されていることに基づいてセレクタの選択機能を無効にする段階とを含み、選択機能を無効にすることは、セレクタがいかなる選択可能な項目の選択を開始することをも防止する、
コンピュータ・プログラム。
【請求項７】
前記コンピューティング装置にさらに、前記第一の要素に関連付けられた奥行き位置に一致するよう、セレクタのための奥行き位置を調整させる、請求項６記載のコンピュータ・プログラム。
【請求項８】
前記隠蔽領域は、前記第一の要素の境界のx座標および前記第一の要素の修正された境界のx座標を使って判別され、前記第一の要素の前記修正された境界は、ある目の観点によって知覚される特定の奥行き位置をもつ前記前記第一の要素から前記表示スクリーンまたは背景コンテンツまで延長した境界を含む、請求項６記載のコンピュータ・プログラム。
【請求項９】
三次元グラフィック環境においてセレクタの呈示を容易にする、コンピュータによって実行される方法であって：
三次元グラフィック環境内で隠蔽領域を判別する段階であって、前記隠蔽領域は表示スクリーンの手前の奥行き位置に呈示される第一の要素によって隠蔽される前記表示スクリーンの領域である、段階とと；
セレクタが前記隠蔽領域に位置されていることを識別する段階であって、セレクタは前記三次元グラフィック環境内の選択可能な項目を選択するために使われる前記三次元グラフィック環境内のカーソルを含む、段階と；
セレクタが前記隠蔽領域に位置されていることに基づいて、セレクタを、前記隠蔽領域に関連付けられた前記第一の要素の奥行き位置に従って呈示する段階とを含み、前記奥行き位置は、前記第一の要素が見えるよう意図されている前記表示スクリーンからの距離を示す、
方法。
【請求項１０】
セレクタが前記隠蔽領域内にあるいかなる選択可能な項目の選択を開始することも防止する段階をさらに含む、請求項９記載の方法。
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
対象における線維症もしくは組織修復性疾患である疾患の治療または予防のための薬剤の調製における、モノクローナル抗体または抗原結合抗体断片の使用であって、
前記モノクローナル抗体または抗原結合抗体断片は、幹細胞因子アイソフォームａと比較して幹細胞因子アイソフォームｂに特異的に結合する、使用。
【請求項２】
前記抗体または抗原結合抗体断片は、配列番号４によって示されるアミノ酸配列を含むペプチドまたはそのペプチド断片に特異的に結合する、請求項１に記載の使用。
【請求項３】
前記抗体または抗原結合抗体断片は、配列番号１によって示されるアミノ酸配列を含むペプチドに特異的に結合する、請求項１に記載の使用。
【請求項４】
前記抗体または抗原結合抗体断片が、前記疾患のうちの少なくとも一つの症状の重篤性を阻害または減少させる、請求項１〜３の何れか一項に記載の使用。
【請求項５】
前記抗体は、ヒト化抗体である、請求項１〜４の何れか一項に記載の使用。
【請求項６】
前記対象は、幹細胞因子の異常活性を有する、請求項１〜５の何れか一項に記載の使用。
【請求項７】
前記対象は、異常なコラーゲン産生を有する、請求項１〜６の何れか一項に記載の使用。
【請求項８】
前記疾患は、線維症、修復性疾患または肺疾患である、請求項１〜７の何れか一項に記載の使用。
【請求項９】
前記疾患は、特発性肺線維症、慢性閉塞性肺疾患、急性呼吸逼迫症候群、嚢胞性線維症、気管支周囲線維症、過感受性肺炎、喘息、浮腫性硬化症、炎症、肝硬変、腎線維症、実質性線維化、心内膜心筋線維症、縦隔線維症、小結節性表皮下線維症、線維性組織球腫、線維胸、肝線維症、線維筋痛、歯肉線維症または放射線誘導性線維症である、請求項１〜８の何れか一項に記載の使用。
【請求項１０】
前記抗体または抗原結合抗体断片は、対象の気道へ送達のために調合される、請求項１〜９の何れか一項に記載の使用。
【請求項１１】
前記抗体または抗原結合抗体断片は、受容体の活性を減少させる、請求項１〜１０の何れか一項に記載の使用。
【請求項１２】
前記抗体または抗原結合抗体断片は、前記受容体と幹細胞因子の相互作用を減少させる、請求項１１に記載の使用。
【請求項１３】
前記受容体は、チロシンキナーゼ受容体である、請求項１１または１２に記載の使用。
【請求項１４】
前記受容体は、ｃ−Ｋｉｔである、請求項１１または１２に記載の使用。
【請求項１５】
前記受容体は、造血前駆細胞、メラニン細胞、胚細胞、好酸球、リンパ球、線維芽細胞、筋線維芽細胞または肥満細胞上に見いだされる、請求項１１〜１４の何れか一項に記載の使用。
【請求項１６】
前記抗体または抗原結合抗体断片は、骨髄細胞、肝細胞、上皮細胞、平滑筋細胞、腎臓細胞または線維芽細胞から生じる、請求項１〜１５の何れか一項に記載の使用。
【請求項１７】
前記抗体または抗原結合抗体断片は、線維芽細胞活性化を直接的に阻害する、請求項１〜１６の何れか一項に記載の使用。
【請求項１８】
細胞または組織へ投与するための薬剤の調製における、幹細胞因子アイソフォームａと比較して幹細胞因子アイソフォームｂに特異的に結合するモノクローナル抗体または抗原結合抗体断片の使用。
【手続補正書】
【提出日】平成26年12月15日(2014.12.15)
【手続補正１】
【補正対象書類名】明細書
【補正対象項目名】０３９４
【補正方法】変更
【補正の内容】
【０３９４】
1 mM ATPにおけるキナーゼのタイトレーション(Titration) は、以下のプロトコールによって達成した。プレートにわたって反応バッファー中にPASK (Invitrogen)の段階三倍希釈を作成した後; 5 μlのキナーゼ希釈物および5 μlの基質/ATP ミックス(mix) を白色 Optiplate-384 (PerkinElmer)のウェルに添加した。プレートの内容物を室温で1時間インキュベートした。反応を5 μlのストップ溶液を各試験ウェルに添加することにより停止させ、次いで、混合および室温で10 分間インキュベーションを行った。5 μl の検出ミックス (検出バッファー中に希釈された検出抗体) を添加し;プレートの内容物を混合し、次いで暗所で1時間室温でインキュベートした。シグナルをTR-FRET モード(665nm/615nm)で記録した。結果をグラフ化してEC50を算出した。
【手続補正２】
【補正対象書類名】明細書
【補正対象項目名】０３９５
【補正方法】変更
【補正の内容】
【０３９５】
ATP Km,app.を決定するために、キナーゼのEC50 濃度でのATPのタイトレーションを以下の方法を用いて行った。ATP (Invitrogen)の段階希釈の作成後、5 μlのATP 希釈物および5 μlの基質/キナーゼミックスを、白色 Optiplate-384 (PerkinElmer)のウェルに添加した。プレートの内容物を室温で1時間インキュベートした。反応を5 μlのストップ溶液を各試験ウェルに添加することにより停止させ、次いで、混合および室温で10 分間インキュベーションを行った。5 μlの検出ミックス (検出バッファー中に希釈した検出抗体) を添加し;プレートの内容物を混合し、次いで暗所で 1時間室温でインキュベートした。シグナルをTR-FRET モード (665nm/615nm)にて記録した。結果をグラフ化し、ATP Km,app.としてEC50を算出した。
【手続補正３】
【補正対象書類名】明細書
【補正対象項目名】０３９６
【補正方法】変更
【補正の内容】
【０３９６】
化合物スクリーニングを以下の方法によって行った。DMSO 中10 mMの被験化合物のストック溶液を、被験化合物をDMSOに室温で1時間溶解させ、次いで 100％ 出力で8 分間超音波処理することにより調製した。化合物がこの条件下で可溶性でない場合、それを3 mMまで希釈した。10 mM MgCl2、50 mM HEPES、1 mM EGTA、0.01％ TWEEN-20、2 mM DTTを含有するキナーゼ反応バッファーを調製した。被験化合物の段階希釈をFreedom EVO200（登録商標） 分配装置を用いて以下のように4 × 最終アッセイ濃度にて調製した: 12×10-5 M、4×10-5 M、1.33×10-5 M、4.44×10-6 M、1.48×10-6 M、4.92×10-7 M、1.65×10-7 M、5.48×10-7 M、1.82×10-8 M、6.09×10-9、2.03×10-9 M。被験化合物 (4 ×最終アッセイ濃度にて2.5 μl) をFreedom EVO200（登録商標） 分配装置を用いてウェルに添加した。陽性対照として、2.5 μl の陽性化合物をアッセイウェルに添加し、2.5 μlのDMSO をアッセイウェルに媒体対照として添加した。キナーゼ溶液を反応バッファー中に2 × 最終アッセイ濃度にて調製した。キナーゼ溶液 (5 μl) をアッセイプレートの各ウェルに添加した。基質およびATP 溶液をキナーゼ反応バッファー中に4 × 最終アッセイ濃度にて調製した。キナーゼ反応は、2.5 μlの基質 + ATP ミックス 溶液をアッセイプレートの各ウェルに添加することによって開始した。プレートをプレートシェーカー上で混合する; 次いでカバーをかけ、2時間暗所で25℃で攪拌せずに反応させる。反応を 5 μl のストップ溶液を各試験ウェルに添加することにより停止させ、次いで、混合し、10 分間暗所で室温でインキュベーションした。5 μlの検出ミックス (検出バッファー中に希釈された検出抗体) を添加し;プレートの内容物を混合し、次いで暗所で1時間室温でインキュベートした。シグナルをTR-FRET モード (665nm/615nm)にて記録した。
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
一般式Z-Y-X-レプチン化合物の化合物であって、式中、Zは12〜22個の炭素原子を含有しC末端カルボン酸またはC末端テトラゾール基を含むアシル基であり;
Yは、結合、
【化１】
2014505060.tif 000001
(式中、mは0、1、2、3、4、5または6であり;nは1、2または3であり;sは0、1、2または3であり;pは1、2、3、4、5、6、7、8、9、10、11、12、13、14、15、16、17、18、19、20、21、22または23であり;rは1、2、3、4、5、6、7、8、9、10、11、12、13、14、15、16、17、18、19、20、21、22または23である)
からなる群から選択されるスペーサーであり;
Xは、レプチン化合物に対する結合アンカーである、
【化２】
2014505060.tif 000002
(式中、「*」は、レプチン化合物の方向を向いている部分の箇所を示し、「*"」は、Zの方向を向いている部分の箇所を示す)
化合物、またはその医薬的塩、アミドもしくはエステル。
【請求項２】
Z-Y-X-部分が、レプチン化合物中のN末端アルファ-アミノ基中に存在するアミノ基に連結している、請求項1に記載の化合物。
【請求項３】
一般式Z-Y-X-レプチン化合物の化合物であって、式中、
Zは12〜22個の炭素原子を含有しC末端カルボン酸またはC末端テトラゾール基を含むアシル基であり;
Yは、結合、
【化３】
2014505060.tif 000003
(式中、mは0、1、2、3、4、5または6であり;nは1、2または3であり;sは0、1、2または3であり;pは1、2、3、4、5、6、7、8、9、10、11、12、13、14、15、16、17、18、19、20、21、22または23であり;rは1、2、3、4、5、6、7、8、9、10、11、12、13、14、15、16、17、18、19、20、21、22または23である)
からなる群から選択されるスペーサーである化合物。
【請求項４】
Zが16〜18個の炭素原子を含み、Yが、結合、
【化４】
2014505060.tif 000004
(式中、mは0、1、2;nは1、2または3であり;sは0、1、2または3であり;pは1、2、3または4;rは1、2または3である)
【化５】
2014505060.tif 000005
(式中、mは0、1、2または3であり;nは1、2または3であり;sは0、1、2または3であり;pは1、2、3または4であり;rは1、2または3である)
からなる群から選択されるスペーサーであり;
Xが、レプチン化合物に対する結合アンカーであり、
【化６】
2014505060.tif 000006
(式中、「*」は、レプチン化合物の方向を向いている部分の箇所を示し、「*"」は、Zの方向を向いている部分の箇所を示す)である、
請求項1、2または3のいずれか一項に記載の化合物。
【請求項５】
前記Z-Y-X-部分がアルキル化化学作用によりレプチンに結合している、請求項1から4のいずれか一項に記載の化合物。
【請求項６】
前記レプチン化合物がレプチンの類似体である、請求項1から5のいずれか一項に記載の化合物。
【請求項７】
Zが脂肪酸または脂肪族二酸を含む、請求項1から6のいずれか一項に記載の化合物。
【請求項８】
Zがアルファおよびオメガカルボキシ基を含む、請求項1から7のいずれか一項に記載の化合物。
【請求項９】
Zが12〜22個の炭素原子を有する脂肪酸または脂肪族二酸を含む、請求項1から8のいずれか一項に記載の化合物。
【請求項１０】
Zが16〜20個の炭素原子を有する脂肪酸または脂肪族二酸を含む、請求項1から9のいずれか一項に記載の化合物。
【請求項１１】
化合物B
【化７】
2014505060.tif 000007
である請求項1から10のいずれか一項に記載の化合物。
【請求項１２】
化合物D
【化８】
2014505060.tif 000008
である請求項1から11のいずれか一項に記載の化合物。
【請求項１３】
請求項1から12のいずれか一項に記載の化合物を含む、医学において使用するための組成物。
【請求項１４】
請求項1から12のいずれか一項に記載の化合物を含む、肥満、糖尿病、脂肪異栄養症、思春期遅発症、無月経症または多嚢胞性卵巣症候群の治療のための組成物。
【請求項１５】
請求項1から12のいずれか一項に記載の化合物と、1種または複数の医薬賦形剤と、場合により1種または複数のさらなる抗肥満剤および/または抗糖尿病剤を含む組成物。
【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
動物の睡眠を促進するための方法であって、睡眠を促進する量のアスタキサンチンと睡眠を促進する量のメラトニンとを併せて動物に投与するステップを含み、動物は非ヒト哺乳動物である、方法。
【請求項２】
アスタキサンチンは約０．１〜約６０ｍｇ／ｋｇ／ｂｗの量で投与され、メラトニンは約０．１〜約４０ｍｇ／ｋｇ／ｂｗの量で投与される、請求項１に記載の方法。
【請求項３】
アスタキサンチンは１日当たり約０．１〜約２０ｍｇの量で投与され、メラトニンは１日当たり約０．１〜約３０ｍｇの量で投与される、請求項１に記載の方法。
【請求項４】
睡眠を促進する量の亜鉛を併せて動物に投与するステップをさらに含む、請求項１〜３のいずれか一項に記載の方法。
【請求項５】
亜鉛は約１０〜約１００ｍｇ／ｋｇ／ｂｗの量で投与される、請求項４に記載の方法。
【請求項６】
亜鉛は１日当たり約１０〜約１００ｍｇの量で投与される、請求項４に記載の方法。
【請求項７】
アスタキサンチン及びメラトニンは毎日投与される、請求項１〜６のいずれか一項に記載の方法。
【請求項８】
アスタキサンチン及びメラトニンは、午後、晩又は動物の典型的な就寝時刻の前に一度に投与される、請求項１〜７のいずれか一項に記載の方法。
【請求項９】
アスタキサンチン及びメラトニンは食事と共に投与される、請求項１〜８のいずれか一項に記載の方法。
【請求項１０】
アスタキサンチン及びメラトニンは液体飲料に含まれた状態で投与される、請求項１〜８のいずれか一項に記載の方法。
【請求項１１】
前記動物は高齢動物である、請求項１〜１０のいずれか一項に記載の方法。
【請求項１２】
前記動物は、正常な睡眠を妨げる状態になりやすいか又はそのような状態になっている動物である、請求項１〜１０のいずれか一項に記載の方法。
【請求項１３】
前記状態は時差ぼけ、不眠症、疼痛又は睡眠障害である、請求項１２に記載の方法。
【請求項１４】
アスタキサンチン及びメラトニンと併せて睡眠補助薬を投与するステップをさらに含む、請求項１〜１３のいずれか一項に記載の方法。
【請求項１５】
アスタキサンチン及びメラトニンと併せてホリスティック医療を施すステップをさらに含む、請求項１〜１３のいずれか一項に記載の方法。
【請求項１６】
動物の睡眠を促進するための方法であって、睡眠を促進する量のアスタキサンチンと、代謝されてメラトニンを生じ得る少なくとも１種の代謝可能な化合物と、を併せて動物に投与するステップを含み、動物は非ヒト哺乳動物である、方法。
【請求項１７】
睡眠を促進する量の亜鉛を併せて前記動物に投与するステップをさらに含む、請求項１６に記載の方法。
【請求項１８】
前記代謝可能な化合物は、セロトニン、トリプトファン、５−ヒドロキシトリプトファン及びそれらの組み合わせからなる群から選択される、請求項１６又は１７に記載の方法。
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
受託番号ＤＳＭ２４５１４のもとで寄託されているビフィドバクテリウム・ビフィドゥムＭＩＭＢｂ７５の菌株を含むものであり、過敏性腸症候群の治療に使用するためのものであることを特徴とするプロバイオティクス製剤。
【請求項２】
受託番号ＤＳＭ２４５１４のもとで寄託されているビフィドバクテリウム・ビフィドゥムＭＩＭＢｂ７５の菌株を含むものであり、腹痛、鼓脹、便秘、消化不全、緊急の、減少した便通の回数、増加した便通の回数、排便が不完全である感覚、又はそれらの組み合わせの治療に使用するためのものであることを特徴とするプロバイオティクス製剤。
【請求項３】
受託番号ＤＳＭ２４５１４のもとで寄託されているビフィドバクテリウム・ビフィドゥムＭＩＭＢｂ７５の菌株を含むものであり、過敏性便通、炎症性腸疾患、クローン病、潰瘍性大腸炎、回腸嚢炎、感染性大腸炎、下痢疾患クロストリジウム・ディフィシル関連下痢、及びそれらの組み合わせからなるグループから選択される疾患の治療に使用するためのものであることを特徴とするプロバイオティクス製剤。
【請求項４】
少なくともイヌリン及び／又はフルクトオリゴ糖を含んでもよいものであることを特徴とする請求項１乃至請求項３のいずれか１項に記載の使用のためのプロバイオティクス製剤。
【請求項５】
少なくとも１つの薬理学上許容可能な化合物、少なくとも１つの経口摂取可能なキャリア、少なくとも１つのアジュバント、少なくとも１つの細菌成分、少なくとも１つの原体、又は少なくとも１つの生体化合物を含むものであることを特徴とする請求項１乃至請求項４のいずれか１項に記載の使用のためのプロバイオティクス製剤。
【請求項６】
前記少なくとも１つの薬理学上許容可能な化合物が、ビタミン、ビタミンＢ類、ミネラル、カルシウム、マグネシウム、微量元素、糖質、ラクトース、マルトデキストリン、イヌリン、デキストロース、マンニトール、マルトース、デキストリン、ソルビトール、フルクトースからなるグループから選択されるものであり、
及び／又は前記生体化合物が、蛋白質、ペプチド、特にグルタミン／グルタミン酸が豊富である蛋白質、特にグルタミン／グルタミン酸が豊富であるペプチド、脂質から選択されるものであることを特徴とする請求項５に記載の使用のためのプロバイオティクス製剤。
【請求項７】
前記経口摂取可能なキャリアがカプセル、錠剤、粉末又は食品であることを特徴とする請求項５又は請求項６に記載の使用のためのプロバイオティクス製剤。
【請求項８】
前記食品が乳製品、酸性乳、ヨーグルト、冷凍ヨーグルト、粉乳、濃縮乳、チーズスプレッド、ドレッシング又は飲料であることを特徴とする請求項７に記載の使用のためのプロバイオティクス製剤。
【請求項９】
前記菌株が１カプセル又は１錠剤又は粉末の１単位又は１食品あたりに１０１ｃｆｕより多く存在することを特徴とする請求項７又は請求項８に記載の使用のためのプロバイオティクス製剤。
【請求項１０】
前記菌株が１カプセル又は１錠剤又は粉末の１単位又は１食品あたり１０２、１０３、１０４、１０５又は１０６ｃｆｕ以上存在することを特徴とする請求項７又は請求項８に記載の使用のためのプロバイオティクス製剤。
【請求項１１】
患者１人に１日に投与する前記菌株の量が１カプセル又は１錠剤又は粉末の１単位又は１食品あたり１０１ｃｆｕ以上であることを特徴とする請求項７乃至請求項１０のいずれか１項に記載の使用のためのプロバイオティクス製剤。
【請求項１２】
患者１人に１日に投与する前記菌株の量が１カプセル又は１錠剤又は粉末の１単位又は１食品あたり１０２、１０３、１０４、１０５又は１０６ｃｆｕ以上であることを特徴とする請求項７乃至請求項１１のいずれか１項に記載の使用のためのプロバイオティクス製剤。